(57)【要約】  本発明は４方向角度調節装置及びそれを用いた４方向角度調節ブラシに関することでブラシの中で特に４方向へ角度調節が可能な歯ブラシに対する。  本発明は、従来の角度調節歯ブラシの問題点を解決しようとその組み立て構造が簡単で左右方向と前後方向へ、すなわち４つの方向へ角度調節ができる歯ブラシが提供されて生産性がすぐれながらも使用者に歯磨きの便利さが提供される４方向角度調節歯ブラシを提示する。そのために本発明による４方向角度調節歯ブラシは組み立て通り部のあるＣ字形結束部を一側に有する歯ブラシヘッド部、そして組み立て通り部のあるＣ字形結束部を一側に有する歯ブラシ袋部から構成され、上記された歯ブラシヘッド部と歯ブラシ袋部の一側に具備されるＣ字形結束部には内側に結束陽刻部のあり、外側に結束陰刻部のあることを特徴とする。【選択図】図３
2013529537.tif 000002
【特許請求の範囲】
【請求項１】
組み立て通り部のあるＣ字形結束部を一側に有するヘッド部と;
組み立て通り部のあるＣ字形結束部を一側に有する袋部を含み;
上記ヘッド部と上記袋部の一側に具備されたＣ字形結束部の内側に結束陽刻部と外側に結束陰刻部が夫々形成されたことを特徴とする４方向角度調節装置。
【請求項２】
請求項１に記載の４方向角度調節装置の上記ヘッド部に歯ブラシが形成されたことを特徴とする４方向角度調節歯ブラシ。
【請求項３】
請求項１に記載の４方向角度調節装置の上記ヘッド部に歯間ブラシが形成されたことを特徴とする４方向角度調節歯間ブラシ。
【発明の詳細な説明】
【技術分野】
【０００１】
本発明は４方向角度調節装置及びそれを用いた４方向角度調節ブラシに対する。ブラシのうち、歯ブラシの場合一般的に角度調節ができない直進型歯ブラシが一般的であるが、より歯磨きを口中をすみずみ便利に使えるための方法として、角度調節ができる歯ブラシが最近多様に開発されている。
【背景技術】
【０００２】
従来の角度調節が可能な歯ブラシにおいて、多様な方法が提示されているが四方で角度調節になる歯ブラシにおいてはその組み立て構造が複雑で生産性の落ちる問題点があって、したがって左右方向または前後方向でその角度調節を制限的にできるようにして組み立て構造の複雑さげ解決されたが、それは常用者に歯磨きを便利に用いるのに足り成った。
【発明の概要】
【発明が解決しようとする課題】
【０００３】
本発明は上記されたように角度調節歯ブラシの問題点を解決しようその組み立て構造が簡単であると共に左右方向と前後方向へすなわち、４方向で角度調節ができる歯ブラシを提供して生産性がすぐれて使用者に歯磨きの便利さが提供できる４方向角度調節装置及びそれを用いた４方向角度調節ブラシを提示する。
【課題を解決するための手段】
【０００４】
上記された目的を果たすための手段として、本発明による４方向角度調節装置及びそれを用いた４方向角度調節ブラシは組み立て通り部のあるＣ字形結束部を一側に有するヘッド部、そして組み立て通り部のあるＣ字形結束部を一側に有する袋部から構成され、上記されたヘッド部と袋部の一側に具備されるＣ字形結束部には内側に結束陽刻部があり、外側に結束陰刻部があることが特徴である。
【発明の効果】
【０００５】
本発明による４方向角度調節装置及びそれを用いた４方向角度調節ブラシは特に、歯ブラシにおいて従来の直進型歯ブラシと比較すると使用者が歯磨きを便利にすみずみできるように手伝ってくれる效果がある。また、従来の角度調節歯ブラシに比べてその組み立て構造の簡便により生産原価節減ができ、更に購買力を持つ安い価格の角度調節歯ブラシの提供ができる效果を持つ。加えるに本考案の４方向角度調節構造を歯間ブラシに適用すれば最も便利に歯間の異物がとり除くことができ多様な角度で調節しながら歯間ブラシを用いられる便利さが使用者に提供することができる。
【図面の簡単な説明】
【０００６】
【図１】本発明によるＣ字形結束部を一側に有する歯ブラシヘッド部が図示された斜視図である。
【図２】本発明によるＣ字形結束部を一側に有する歯ブラシ袋部が図示された斜視図である。
【図３】本発明による歯ブラシヘッド部と歯ブラシ袋部の組み立て状態が図示された斜視図である。
【図４】本発明による前方向へ角度調節ができる歯ブラシが図示された斜視図である。
【図５】本発明による後方向へ角度調節ができる歯ブラシが図示された斜視図である。
【図６】本発明による左方向へ角度調節ができる歯ブラシが図示された斜視図である。
【図７】本発明による右方向へ角度調節ができる歯ブラシが図示された斜視図である。
【符号の説明】
【０００７】
100 : 歯ブラシヘッド部
200 : 歯ブラシ袋部
110、210 : Ｃ字形結束部
120、220 : 組み立て通り部
130、230 : 結束陽刻部
140、240 : 結束陰刻部
【発明を実施するための形態】
【０００８】
本発明では４方向角度調節装置及びそれを用いた４方向角度調節ブラシの中、代表的な商品である歯ブラシについて下記のように詳細に説明する。
【０００９】
上記された目的を果たすための構造として、本発明による４方向角度調節歯ブラシは組み立て通り部(120)のあるＣ字形結束部(110)を一側に有する歯ブラシヘッド部(100); と組み立て通り部(220)のあるＣ字形結束(210)を一側に有する歯ブラシ袋部(200);と構成されることを特徴とし、上記された歯ブラシヘッド部(100)と歯ブラシ袋部(200)の一側に具備されるＣ字形結束部(110、210)には内側に結束陽刻部(130、230)があり、外側に結束陰刻部(140、240)のあることを特徴として構成される。
【００１０】
以下、上記されたような構成のある４方向角度調節歯ブラシを添付された図面を参考として詳細に説明する。
【００１１】
図１は、本発明によるＣ字形結束部を一側に有する歯ブラシヘッド部が図示された斜視図であり、図２は、本発明によるＣ字形結束部を一側に有する歯ブラシ袋部が図示された斜視図であり、図３は、本発明による歯ブラシヘッド部と歯ブラシ袋部の組み立て状態が図示された斜視図であり、図４は、本発明による前方向へ角度調節ができる歯ブラシが図示された斜視図であり、図５は、本発明による後方向へ角度調節ができる歯ブラシが図示された斜視図であり、図６は、本発明による左方向へ角度調節ができる歯ブラシが図示された斜視図であり、図７は、本発明による右方向へ角度調節ができる歯ブラシが図示された斜視図である。
【００１２】
図１と図２で図示されたように本発明による歯ブラシヘッド部(100)と歯ブラシ袋部(200)は一側に夫々Ｃ字形結束部(110、210)を有することを特徴とする。上記されたＣ字形結束部(110、210)には夫々組み立て通り部(120、220)があって、本発明の歯ブラシを生産する時にその組み立て構造が簡単で作業性がよく、使用者が角度調節する時には組み立て通り部(120、220)が開いて角度調節が容易にできる目的を実現する。
【００１３】
また、歯ブラシヘッド部(100)の一側に具備されるＣ字形結束部(110)と歯ブラシ袋部(200)の一側に具備されるＣ字形結束部(210)には前後方向と左右方向へ角度の段階別調節ができるようになる結束陽刻部(130、230)と結束陰刻部(140、240)が互いに対応されるように配置されることを特徴としている。
【００１４】
図３に図示されたように本発明は歯ブラシヘッド部(100)の一側に具備されるＣ字形結束部(110)と歯ブラシ袋部(200)の一側に具備されるＣ字形結束部(210)の簡単な組み立てによって４方向角度調節歯ブラシが提供される。
【００１５】
本発明の実施のための形態は歯ブラシだけでなく、歯間ブラシなど多様なブラシ製品に用いることができることは当然であって、本発明の望ましい実施例に含まれている。 従って、上記されたような本発明が有する４方向角度調節構造を適用する場合にブラシ製品で本発明の実施例が制限されることは好ましくなくてブラシ製品以外にも本発明の範囲は拡大適用されることは当然であると言える。
【００１６】
図４と図５は、本発明の４方向角度調節歯ブラシが前後方向へ段階別に調節された状態が図示されて、使用者は最も便利に歯ブラシの角度調節ができ、歯牙の内側までも歯ブラシヘッドを立てて隅々拭き上げられる便利さが提供される。
【００１７】
図６と図７は、本発明の４方向角度調節歯ブラシが左右方向へ段階別に調節された状態が図示されて、使用者は最も便利に歯ブラシの角度調節ができ、歯牙の右側と左側を磨く時に腕を自然に少し上げても歯牙の外側を楽に拭き上げられる便利さが提供される。
【産業上の利用可能性】
【００１８】
本発明による４方向角度調節装置及びそれを用いた４方向角度調節ブラシは特に、歯ブラシにおいて従来の直進型歯ブラシと比較すると使用者が歯磨きを便利に隅々にできるよう手伝ってくれる效果を持つ。
【００１９】
また、従来の角度調節歯ブラシに比べてその組み立て構造の簡便によって生産原価が節減でき、より購買力のある安い価格の角度調節歯ブラシが提供できる産業上の起用可能性を持つ。
【図１】
2013529537.tif 000003
【図２】
2013529537.tif 000004
【図３】
2013529537.tif 000005
【図４】
2013529537.tif 000006
【図５】
2013529537.tif 000007
【図６】
2013529537.tif 000008
【図７】
2013529537.tif 000009
【国際調査報告】
2013529537.tif 000010
2013529537.tif 000011
2013529537.tif 000012
2013529537.tif 000013